(57)【要約】      （修正有）【課題】簡易な構成でありながら機能的に折りたたんで運搬や積み重ねも容易なベンチを提供する。【解決手段】３〜４人が腰掛けられる幅と長さを成す座板の背面周部位に、所定の幅と長さで矩形状を成す幕板を取り付けた左右角部に、外枠脚と内枠脚の二つをＸ状に組み合わせた交差部を軸ボルトで可動軸止した脚体を形成する。脚体の内枠脚の上部支持棒を幕板の左右角部に軸ボルトで可動軸止するとともに、脚体を座板の背面に折りたたんだ当接部の中ほどには、保持溝穴付き保持台を設けるとともに、折りたたんだ脚体の支持棒当接部位にロック装置を取り付けて成る。【選択図】図１
0003159030.tif 000002
【実用新案登録請求の範囲】
【請求項１】
折りたたみできるベンチであって、３〜４人が腰掛けられる幅と長さを成す座板の背面周部位に、所定の幅と長さで矩形状を成す幕板を取り付けて成る左右に、外枠脚と内枠脚二つをＸ状に組み合わせた交差部を軸ボルトで可動軸止して折りたたみ自在とする脚体を形成し、その脚体の前記内枠脚の上部支持棒を前記幕板の角部に軸ボルトで可動軸止するとともに、前記脚体を座板の背面に折りたたんだ当接部の中ほどに、可動軸止側に傾斜する保持溝穴付き保持台を設けて成る構成を特徴とする折りたたみ型ベンチ。
【請求項２】
前記する脚体を折りたたんだ支持棒の当接部位の座板背面に、ロック装置を備えた構成である請求項１に記載する折りたたみ型ベンチ。
【請求項３】
前記する座板背面に設けた保持台の保持溝穴に、板バネを備えて成る請求項１又は請求項２に記載する折りたたみ型ベンチ。
【考案の詳細な説明】
【技術分野】
【０００１】  本考案は、３〜４人が腰掛けられるベンチを、丈夫な構成でありながら機能的に折りたため、かつ運搬や積み重ねも容易なベンチに関する。
に関する。
【背景技術】
【０００２】  従来より、３〜４人が同時に腰掛けられる椅子としてベンチ等があり、利用される場所は大勢の人が集まる会場や公園などに設置して利用されている。【０００３】  また折りたたむことにより運搬を容易にし、収納スペースを取らないベンチの技術もある（例えば、特許文献１参照）【０００４】  さらに長椅子の構成部材である背当て部と脚部とを、倒伏して折りたためるようにするとともに、携行品を収納できる技術もある。（例えば、特許文献２参照）
【先行技術文献】
【特許文献１】登録実用新案３０６２８０４号公報
【特許文献２】登録実用新案３１４６９６８号公報
【考案の概要】
【考案が解決しようとする課題】
【０００５】  従来から提供されるベンチ等は、３〜４人が腰掛けるため強度保持やコストの点において折りたたみタイプはほとんど見られず固定タイプに限られていた。【０００６】  また登録実用新案３０６２８０４号公報に開示される折りたたみ式ベンチは、折りたたむ事によって運搬や収納を容易とするものであるが、その構成は座面が格子であって、その格子の間に各軸を中心に各脚が回転して収まるものであるが、座面が格子であるため座り心地は極めて悪く、さらに左右に位置する脚部は安定しない形を成すため、腰掛ける人数や位置によっては重量バランスを崩して転倒する恐れもある不便や欠点が多いベンチの技術である。【０００７】  さらに登録実用新案３１４６９６８号公報に開示される長椅子は、複数枚の板で成る腰掛部、背当部、脚部、収納棚から成る四つの部材で構成された長椅子である。しかし、この長椅子は、背当て部と脚部とを腰掛け部に密着するように倒伏して折りたためるが、座板面は複数枚の板を連結したものであるので座り心地はきわめて悪い。また構成的に組み立て及び折りたたみも面倒であるとともに、組み合わせる収納棚は折りたためない上、重量もあるなどの不便や欠点が多い技術である。
【課題を解決するための手段】
【０００８】  本考案は、従来のような折りたたみ式ベンチや長椅子の欠点や不便を解消するために、請求項１においては、３〜４人が腰掛けられる幅と長さを成す座板の背面周部位に、所定の幅と長さで矩形状を成す幕板を取り付けた左右に、外枠脚と内枠脚二つをＸ状に組み合わせた交差部を軸ボルトで可動軸止して折りたたみ自在とする脚体を形成し、その脚体の前記内枠脚の上部支持棒と前記幕板の角部に軸ボルトで可動軸止するとともに、前記脚体を座板の背面に折りたたんだ当接部の中ほどに、傾斜する保持溝穴付き保持台を設けたベンチを構成することで容易に組み立てられ、かつ簡単に折りたためられるベンチとする。【０００９】  請求項２においては、前記する脚体を折りたたんだ支持棒の当接部位の座板背面にロック装置を備えることで、折りたたんだ脚体が勝手に展開しないものとする。【００１０】  請求項３においては、前記する座板背面に設けた保持台の保持溝穴に板バネを備えることで、保持溝穴から外枠脚が脱落しにくいものとする
【考案の効果】
【００１１】  本考案におけるベンチは、座板は平板状であるので座り心地良く腰掛けられるとともに、座板の背面に備えた脚体は、外枠脚に内枠脚をＸ状に組み合わせた折りたたみ自在の脚を左右に備えているので極めて安定した構成を成すベンチを提供する。【００１２】  さらに脚体は幕板左右の角部を支点にして組み立てた時は、外枠脚の支持棒は座板背面に位置する保持台の板バネ付き保持溝穴に収めるだけで容易に組み立てられ、かつ板バネの押し圧に作用により脱落しにくい。また折りたたんだ際は自動的にロック装置で固定されるため、うっかり座板を持ち上げても脚体が勝手に展開する恐れも無く安心して持ち運べるベンチを構成する。【００１３】  また折りたたんだ脚体は幕板の高さと同じ程度に平たく折りたためるので、そのまま２段、３段と積み重ねることが可能であり、縦向きにして狭いスペースに収納することも容易であるとともに、台車に平積みすれば一度で数多く運べる。【００１４】  加えて、組み立てた際の高さは４００ｍｍ程度であることと座板面は平らであるので長尺座卓としても活用できるなど、簡易な構成にして丈夫で、かつ機能的にしてシンプルな従来には見られない折りたたみ型のベンチを広く提供できる。
【図面の簡単な説明】
【００１５】
【図１】本考案による折りたたみ型のベンチの実施形態を示す斜視図である。
【図２】本考案によるベンチの一部を欠いた正面図である。
【図３】ベンチの座板の背面に取り付ける脚体を示す斜視図である。
【図４】脚体の一方を幕板に取り付けた状態の要部を示す断面図である
【図５】脚体の一方の支持棒を保持台に組み合わせた状態の要部を示す断面図である。
【図６】保持溝穴に取り付ける板バネを示す拡大斜視図である
【図７】脚体を折りたたんでロックした状態を示す一部を欠いた拡大図である
【図８】本考案のベンチを折りたたんだ状態を示す一部を欠いた正面図である。
【図９】本考案のベンチを折りたたんだ状態を示す背面図である
【考案を実施するための形態】
【００１６】  本考案によるベンチの実施形態を、図１に示す斜視図と図２に示す一部を欠いた正面図及び図９に示す折りたたんだ状態の背面図とともに各補足図で説明する。
【００１７】  本考案によるベンチ１の素材は杉木材とし、３人から４人がゆとりを持って座れるベンチ１の所定の寸法として、大きさは約１，４５０ｍｍ×４００ｍｍで、厚さ約２０ｍｍ〜３０ｍｍ程度の座板２とし、その座板２背面には、周縁から約１０ｍｍ〜２０ｍｍほど内側寄りに、幅６０ｍｍで厚さ１５ｍｍほどの幕板３を長方形状に取り付けた座板２を形成した幕板３の左右の角部に、図３に示すような折りたたみ自在の２つで一組とする脚体４を取り付ける。
【００１８】  以下、その脚体４及びその取り付け方を詳述するが、脚体４及び他の部材や構成は左右全く同じであるので一方のみを説明する。まず前記幕板３の短辺側の内側に収まる長さの２本の角材による支持棒５，５と２本の支柱棒６，６とによって、大きさ約５００ｍｍ×３４０ミリ程度を成す矩形状の外枠脚７を形成する。
【００１９】  次に、前記外枠脚７に組み合わされる内枠脚８として、外枠脚７左右の支柱棒６，６と同じ長さの２本の支柱棒６ａ，６ａを、前記外枠脚７の内側左右に位置して後、その２本の支柱棒６ａ，６ａの上下端部に、前記外枠脚７，７の支持棒５と同じ長さの２本の支持棒５ａ，５ａを取り付けてＩＩ状を成す内枠脚８を形成するとともに、外枠脚７と内枠脚８がＸ状に組み合わされるので、その外枠脚７の支柱棒６，６と内枠脚８の支柱棒６，６ａが交差する中央部を軸ボルト９，９を持って可動軸止すると、図３のような折りたたみ自在な脚体４を形成する。
【００２０】  さらに、前記外枠脚７の上下支持棒５，５と、内枠脚８の上下支持棒５ａ，５ａそれぞれの外面を半円状に加工するとともに、内枠脚８の上部に位置する支持棒５ａの左右端部に支点軸穴１０，１０を設けた脚体４とする。
【００２１】  以上のように形成した脚体４を２つ一組として、前記する座板２背面の幕板３左右の角部に設けた支点穴（図示せず）に、前記する脚体４の支点軸穴１０を合わせた上で、図４に示すように幕板３を挟んで軸ボルト９で可動軸止することで、組み立て折りたたみ可能な脚体４付き座板２を形成する。
【００２２】  次に、前記する脚体４を背面側に折りたたんだ座板２面には、図２及び図９に示すように、折りたたんだ脚体４の座板２の当接部位の内枠脚８の間に、高さ約５０ｍｍ程度の保持台１１で、かつその保持台１１の中ほどには、前記脚体４の可動軸止側方向に傾斜する保持溝穴１２を設けるとともに、その保持溝穴１２部位には、図６に示すような弓状の板バネ１３を図５に示すように取り付ける。
【００２３】  さらに脚体４を折りたたんだ状態の２本の支持棒５，５ａの端部位には、図７に示すように上部に位置する内枠脚８の中ほどに届く高さの受け台１４を設け、その受け台１４上に、前記する内枠脚８の支持棒５ａの中央に設けた係合穴１５に嵌るロック装置１６として、解除ボタン１７付きプッシュラッチ１８を備えて、本考案による折りたたみできるベンチ１を構成する。
【００２４】  本考案によるベンチ１は以上のような構成を成すので、座板２の背面左右に取り付けた脚体４は、外枠脚７と内枠脚８がＸ状に組み合わされて可動軸止するので折りたたみも組み立ても容易であるとともに、座板２左右に２つ備えているため重量は分散して耐久性と安定性が増す。また前記内枠脚８の上部支持棒５ａは、幕板３の左右角部に軸ボルト９で可動軸止し、他方、外枠脚７の下部支持棒５は、座板２背面の保持台１１の保持溝穴１２に収めるだけで容易に安定したベンチ１を組み立てられる。
【００２５】  また前記保持溝穴１２には弓状の板バネ１３を備えているので、板バネ１３の押し圧作用により簡単には脱落しにくい。加えて、前記脚体４を折りたたんだ支持棒５，５ａの座板２背面の当接部位近くには、解除ボタン１７付きプッシュラッチ１８を取り付けているので、折りたためば自動的にピンが前記内枠脚８の係合穴１５に収まってロックされるとともに、組み立てる時は解除ボタン１７で簡単に開放されて容易に組み立てられるベンチ１を構成する。
【００２６】  本考案におけるベンチ１の座板２は一枚板状であるが、縁部は丈夫な無垢材とし、座面は軽いハニカムコア材の板を用いてもよい。また脚体４も木材であるが、必要なら金属のアルミ素材を採用しても構わない。さらにロック装置１６はプッシュラッチ１８を採用しているが、他のロック器具でも差し支えないものであり、いずれも特に限定されるものではない。
【符号の説明】
【００２７】１  ベンチ
２  座板
３  幕板
４  脚体
５  軸棒
５ａ  軸棒
６  支持棒
６ａ  支持棒
７  外枠脚
８  内枠脚
９  軸ボルト
１０  支点軸穴
１１  保持台
１２  保持水穴
１３  板バネ
１４  受け台
１５  係合穴
１６  ロック装置
１７  解除ボタン
１８  プッシュラッチ
【図１】
0003159030.tif 000003
【図２】
0003159030.tif 000004
【図３】
0003159030.tif 000005
【図４】
0003159030.tif 000006
【図５】
0003159030.tif 000007
【図６】
0003159030.tif 000008
【図７】
0003159030.tif 000009
【図８】
0003159030.tif 000010
【図９】
0003159030.tif 000011
【手続補正書】
【提出日】平成22年2月24日(2010.2.24)
【手続補正１】
【補正対象書類名】明細書
【補正対象項目名】０００１
【補正方法】変更
【補正の内容】
【０００１】  本考案は、３〜４人が腰掛けられるベンチを、丈夫な構成でありながら機能的に折りたため、かつ運搬や積み重ねも容易なベンチに関する。